(57)【要約】      （修正有）【課題】処理槽内の濃度分布の異なる薬液に対して、組織片を相対的に濃度の高い薬液に接触させることができ、従来と比較して薬液が作用しやすい組織片処理装置を提供する。【解決手段】組織片処理装置は、組織片が収容される収容容器２８と、収容容器２８が収容される処理槽１８と、を備え、処理槽１８の内部には、収容容器２８を支持する揺動支持体３４が、処理槽１８の側面に配設された駆動部（撹拌子）に連結されており、揺動支持体３４は、処理槽１８の外部に配設された駆動手段（モータ４２）の駆動力を受けた駆動部（撹拌子）の駆動に連動することにより、処理槽１８の内部で揺動可能に構成されている。【選択図】図３
2020112464.tif 000002
【特許請求の範囲】
【請求項１】
組織片が収容される収容容器と、
前記収容容器が収容される処理槽と、を備え、
前記処理槽の内部には、前記収容容器を支持する揺動支持体が、前記処理槽の側面に配設された駆動部に連結されており、
前記揺動支持体は、前記処理槽の外部に配設された駆動手段の駆動力を受けた前記駆動部の駆動に連動することにより前記処理槽の内部で揺動可能に構成されていること
を特徴とする組織片処理装置。
【請求項２】
前記揺動支持体は、前記駆動部に対して着脱可能に構成されており、
前記駆動部は、支持軸を中心に回転可能な撹拌子であって、前記揺動支持体が連結された状態では所定角度まで揺動可能で、且つ前記揺動支持体が取外された状態では回転可能に配設されていること
を特徴とする請求項１記載の組織片処理装置。
【請求項３】
前記駆動手段は、モータであって、
前記モータの回転軸には、該回転軸を中心に回転可能な回転体が設けられ、
前記回転体および前記撹拌子には、相互に吸引または反発する磁石が設けられていること
を特徴とする請求項２記載の組織片処理装置。
【請求項４】
前記処理槽の側面は、外部側に隆起する収容部を備え、
前記撹拌子は、前記収容部に収容されており、
前記回転体は、前記収容部の外部側に配設されていること
を特徴とする請求項３記載の組織片処理装置。
【請求項５】
前記撹拌子は、前記処理槽の対向する側面に一対に配設され、
前記揺動支持体は、両端部に位置する第１アームと第２アームとが連結部材によって連結された構成を有し、
前記第１アームおよび前記第２アームは、前記一対の撹拌子にそれぞれ連結されていること
を特徴とする請求項２〜４のいずれか一項に記載の組織片処理装置。
【請求項６】
前記駆動手段は、前記一対の撹拌子に対応するように前記処理槽の対向する側面の外部に一対に配設されていること
を特徴とする請求項５記載の組織片処理装置。
【請求項７】
前記駆動部は、所定角度まで揺動する揺動部材であること
を特徴とする請求項１記載の組織片処理装置。
【発明の詳細な説明】
【技術分野】
【０００１】
本発明は、組織片処理装置に関し、さらに詳細には人体をはじめとする生物から採取した組織片の顕微鏡標本を作製するために必要な処理を行う組織片処理装置に関する。
【背景技術】
【０００２】
生物から採取した組織片（検体）を顕微鏡で観察するための前処理として、固定処理、脱水処理、脱脂処理および浸透処理（包埋処理）をこの順で行う標本作製処理が行われている。当該処理には、これを自動で行う組織片処理装置が広く用いられている（特許文献１：特開２０１５−１５１２号公報参照）。
【０００３】
組織片処理装置において、標本作製処理は、組織片を所定の薬液中に浸漬することによって行われる。具体的には、組織片は、先ず小型容器（カセット）に一片または数片ずつ収容され、次いで一または複数のカセットが収容容器（バスケット）に収容される。さらに一または複数の収容容器が組織片処理装置に設けられた処理槽（レトルト）に収容されることによって当該処理槽内に組織片が収容される。組織片処理装置が起動されると、それぞれの薬液ボトルに貯留された複数種類の薬液が所定の順で処理槽内に供給され、それぞれ一定時間保持される。これによって、組織片が複数種類の薬液中に浸漬されて標本作製処理が行われる。なお、浸漬処理が行われた薬液は薬液ボトルに戻されて、濃度低下その他の劣化により使用不能と判断されるまで繰返し使用される。
【先行技術文献】
【特許文献】
【０００４】
【特許文献１】特開２０１５−１５１２号公報
【発明の概要】
【発明が解決しようとする課題】
【０００５】
標本作製処理において、薬液中に組織片を浸漬すると、薬液が組織片に浸透して、脱水処理では組織片から水分が滲み出し、脱脂処理では組織片から脂肪分が滲み出す。したがって、組織片が収容された処理槽内に薬液を供給し、そのまま保持する従来の組織片処理装置では、浸漬処理が開始されると、組織片から滲み出た水分等によって組織片の周囲の薬液が希釈されても、この状態で浸漬処理が継続することになる。その結果、組織片は相対的に濃度の低い薬液によって浸漬処理が行われることになるため、組織片に対して薬液が作用しにくいという課題があった。
【課題を解決するための手段】
【０００６】
本発明は、上記事情に鑑みてなされ、処理槽内の濃度分布の異なる薬液に対して、組織片を相対的に濃度の高い薬液に接触させることができ、従来と比較して薬液が作用しやすい組織片処理装置を提供することを目的とする。
【０００７】
本発明は、一実施形態として以下に記載するような解決手段により、前記課題を解決する。
【０００８】
本発明に係る組織片処理装置は、組織片が収容される収容容器と、前記収容容器が収容される処理槽と、を備え、前記処理槽の内部には、前記収容容器を支持する揺動支持体が、前記処理槽の側面に配設された駆動部に連結されており、前記揺動支持体は、前記処理槽の外部に配設された駆動手段の駆動力を受けた前記駆動部の駆動に連動することにより前記処理槽の内部で揺動可能に構成されていることを要件とする。
【０００９】
これによれば、駆動部に連結された揺動支持体を駆動部の駆動に連動させて揺動させることができる。したがって、当該揺動支持体と共にこれに支持された収容容器を揺動させることができ、当該収容容器と共にこれに収容された全ての組織片を処理槽内で揺動させることができる。その結果、組織片から滲み出た水分や脂肪分によって濃度の低下した薬液に接触している組織片を相対的に濃度の高い薬液に接触させることができる。
【００１０】
また、前記揺動支持体は、前記駆動部に対して着脱可能に構成されており、前記駆動部は、支持軸を中心に回転可能な撹拌子であって、前記揺動支持体が連結された状態では所定角度まで揺動可能で、且つ前記揺動支持体が取外された状態では回転可能に配設されていることが好ましい。これによれば、処理槽内の液体を撹拌する撹拌子に対して揺動支持体を付加的に取付ける構成によって処理槽内で収容容器を揺動させることができる。したがって、揺動支持体の着脱によって、揺動支持体による収容容器の揺動機構と撹拌子による処理槽内の撹拌機構とを選択的に使用することができる。
【００１１】
また、前記駆動手段は、モータであって、前記モータの回転軸には、該回転軸を中心に回転可能な回転体が設けられ、前記回転体および前記撹拌子には、相互に吸引または反発する磁石が設けられていることが好ましい。これによれば、回転体が駆動部として作用すると共に撹拌子がこれに対するチップとして作用するマグネチックスターラーとして構成することができ、処理槽の外部から処理槽の内部に作用させて撹拌子を回転させることができる。したがって、処理槽の壁面を貫通させることなく処理槽の内外を隔てることができ、処理槽内の薬液が漏れ出すことを防止することができる。
【００１２】
また、前記処理槽の側面は、外部側に隆起する収容部を備え、前記撹拌子は、前記収容部に収容されており、前記回転体は、前記収容部の外部側に配設されていることが好ましい。これによれば、処理槽の内部において側面の外部側に撹拌子を配設することによって処理槽における空間を無駄なく使用することができると共に、側面の一部が隆起する収容部に撹拌子を配設することによって処理槽全体が大型化することを防止することができる。
【００１３】
また、前記撹拌子は、前記処理槽の対向する側面に一対に配設され、前記揺動支持体は、両端部に位置する第１アームと第２アームとが連結部材によって連結された構成を有し、前記第１アームおよび前記第２アームは、前記一対の撹拌子にそれぞれ連結されていることが好ましい。これによれば、揺動支持体を両端部で支持することによって処理槽の内部に固定することができる。したがって、揺動支持体を安定して揺動させることができる。
【００１４】
また、前記駆動手段は、前記一対の撹拌子に対応するように前記処理槽の対向する側面の外部に一対に配設されていることが好ましい。これによれば、複数の駆動手段によって相対的に大きな駆動力を備えることができる。また、揺動支持体を揺動する際、各駆動手段の駆動力を相対的に小さくすることができるため、駆動手段の小型化を図ることができる。
【００１５】
また、前記駆動部は、所定角度まで揺動する揺動部材であることが好ましい。これによれば、前述の駆動部を撹拌子ではなく揺動可能な揺動部材とすることによって、揺動支持体を、揺動部材に対して固定された構造に構成したり揺動部材を兼用する一体構造に構成したりすることができる。したがって、駆動手段の駆動力を受けた揺動部材の駆動に連動させて、または駆動手段の駆動力を直接受けて揺動支持体を揺動させることができる。
【発明の効果】
【００１６】
本発明によれば、処理槽内の濃度分布の異なる薬液に対して、組織片を相対的に濃度の高い部分に接触させることができ、従来と比較して薬液が作用しやすい組織片処理装置を提供することができる。
【図面の簡単な説明】
【００１７】
【図１】本発明の実施形態に係る組織片処理装置の例を示す概略図（斜視図）である。
【図２】図１の組織片処理装置における処理槽の例を示す概略図（斜視図）ある。
【図３】図１の組織片処理装置における処理槽の例であって、収容容器を取出した状態の例を示す概略図（斜視図）である。
【図４】図１の組織片処理装置における処理槽の例であって、揺動支持体を取外した状態の例を示す概略図（斜視図）である。
【図５】図４に示すＡ部の拡大図であって本発明の実施形態における駆動部（撹拌子）を中心とする構成の例を示す概略図（斜視図）である。
【図６】図４に示すＢ部の拡大図であって本発明の実施形態における駆動手段（モータ）を中心とする構成の例を示す概略図（斜視図）である。
【図７】本発明の実施形態における揺動支持体の構成例および当該揺動支持体と駆動部（撹拌子）との連結構造について説明する説明図である。
【発明を実施するための形態】
【００１８】
以下、図面を参照して、本発明の実施形態について詳しく説明する。図１は、本発明の実施形態に係る組織片処理装置１０の例を示す概略図（斜視図）である。また、図２は、図１の組織片処理装置１０における処理槽１８の例を示す概略図（斜視図）ある。また、図３は、図２に示す処理槽１８の例において収容容器２８を取出した状態の例を示す概略図（斜視図）である。また、図４は、図２に示す処理槽１８の例において揺動支持体３４を取外した状態の例を示す概略図（斜視図）である。図５は、図４に示すＡ部の拡大図であって本発明の実施形態における駆動部（撹拌子３６）を中心とする構成の例を示す概略図（斜視図）である。また、図６は、図４に示すＢ部の拡大図であって本発明の実施形態における駆動手段（モータ４２）を中心とする構成の例を示す概略図（斜視図）である。このうち、図６（ａ）と図６（ｂ）とはそれぞれ別の方向からの斜視図である。また、図７は、本発明の実施形態における揺動支持体３４の構成例および当該揺動支持体３４と駆動部（撹拌子３６）との連結構造について説明する説明図である。このうち、図７（ａ）は揺動支持体３４が撹拌子３６に連結された状態の斜視図を示している。また、図７（ｂ）は、図７（ａ）に対して、第１アーム３３側においては図７（ａ）の一部を切欠いて連結部Ｃが視認でき、第２アーム３５側においては撹拌子３６から第２アーム３５を取外して係止部３５ｃが視認できる図である。さらに、図７（ｃ）は連結部Ｃの拡大図で、揺動支持体３４を破線で示して連結状態を視認できる図である。全図において、同一の機能を有する部材には同一の符号を付し、その繰り返しの説明は省略する場合がある。
【００１９】
本実施形態に係る組織片処理装置１０は、人体をはじめとする生物から採取した組織片の顕微鏡標本を作製するために必要な処理を自動で行う装置である。図１に示す組織片処理装置１０は、方形の本体部１２に任意のキャスター１４が取付けられて移動可能に構成されている。本体部１２の上面は、一例として設定画面や進行中の処理等が表示される他、任意にタッチパネル等も搭載されるモニタ１６を備え、作業者と対面する本体部１２の前面に表示面１６ａを向けて配置されている。また、本体部１２上面には、本体部１２に内蔵された処理槽１８の上部の開口部１８ａ（図２参照）を開閉する開閉蓋２０が取付けられている。なお、処理槽１８は、一般には「レトルト」と呼ばれ、開閉蓋２０は、一般には「レトルト蓋」と呼ばれる。
【００２０】
また、本体部１２の内部は、下部に複数段（本実施形態では二段）のボトルラック２２を備えている。当該ボトルラック２２には、固定処理を行うホルマリン、脱水処理を行うアルコール、脱脂処理を行うキシレン等を貯留する複数の薬液ボトル２４が配設されている。これらの薬液ボトル２４は、複数種類の薬液を貯留するボトルの他、同一種類の薬液を貯留するボトルも複数配設されている。これによって、同一の処理（例えば脱水処理）を複数回行う際、それぞれ別の薬液ボトル２４から処理槽１８内に薬液を供給し、それぞれの薬液ボトル２４に戻すことができる。したがって、劣化の程度（濃度）の異なる同一種類の薬液を貯留する薬液ボトル２４を複数配設することができる。その結果、これらの薬液ボトル２４を各処理に伴う負担（想定される濃度低下の程度）に応じて選択的に使用することによって薬液の劣化（濃度の低下）を調整し、薬液の使用回数を増やすことができる。
【００２１】
また、本体部１２の内部は、中央部にその内部を一定温度に加温し、保持することができるオーブン２６を備えている。当該オーブン２６には、浸透処理（包埋処理）を行うパラフィンを貯留する複数の薬液ボトル（不図示）が配設されている。これによって、室温で固化するパラフィンを溶融状態で保持して処理に供するために待機させることができる。なお、オーブン２６の保持温度は一例として６０［℃］前後である。
【００２２】
また、本体部１２の内部は、前述の通り上部に処理槽１８を備える他、薬液の蒸発したガスの臭気を除去する取替可能なフィルタ（不図示）等を備えている。当該フィルタ（不図示）には、一例として活性炭フィルタが用いられる。
【００２３】
続いて、本実施形態における処理槽１８について説明する。図２および図３に示す処理槽１８は、組織片が複数種類の薬液に浸漬されて標本作製処理が行われる容器である。組織片は、通常、小型容器（不図示）に一片または数片ずつ収容され、次いで一または複数の小型容器（不図示）が収容容器２８に収容され、次いで一または複数の収容容器２８が処理槽１８に収容される。これによって、複数の人体等から採取された組織片であっても、組織片に関する情報が付された小型容器（不図示）に小分けして処理槽１８に収容することによって同時に標本作製処理を行うことができる。なお、小型容器（不図示）は、一般には「カセット」と呼ばれ、収容容器２８は、一般には「バスケット」と呼ばれる。
【００２４】
本実施形態における処理槽１８は、一定の容積を有し、一例として直方体状に形成されているがこれに限られない。例えば立方体状に形成することも考えられる。また、処理槽１８は、一例として直方体の長手方向を本体部１２の前後方向に向けて配置されているがこれに限られない。例えば長手方向を本体部１２の左右方向に向けて配置することも考えられる。また、処理槽１８の底部は、一例として一組の対向面を中央方向に傾斜させる構成に形成されている（図４参照）がこれに限られない。例えば平面または漏斗状に形成する構成も考えられる。
【００２５】
また、処理槽１８の内面には、薬液が供給される供給口３０が側面に開口し、薬液が排出される排出口３２が底面に開口している。なお、排出口３２は上記の傾斜させた対向面の最下部に配設されている。これによって、処理槽１８内の薬液を排出する際、傾斜に沿って薬液を流して排出口３２を排出することができる。また、供給口３０および排出口３２には、それぞれ本体部１２の内部に向けて連通する管路（不図示）が設けられ、これらの管路（不図示）はいずれも本体部１２の内部の切換バルブ（不図示）に連結されている。切換バルブ（不図示）は、供給口３０および排出口３２と連通するそれぞれの管路を選択的に開閉する作用を有する。一方、複数の薬液ボトル２４には、それぞれ本体部１２の内部に向けて連通する管路（不図示）が設けられ、これらの管路（不図示）はいずれも本体部１２の内部の選択バルブ（不図示）に連結されている。選択バルブ（不図示）は、薬液ボトル２４から連通するそれぞれの管路を選択的に開閉する作用を有する。これらの切換バルブ（不図示）と選択バルブ（不図示）とは管路を介して互いに連通している。さらに、処理槽１８の内面には、別の開口部（不図示）が開口し、当該開口部（不図示）から連通する管路（不図示）が本体部１２の内部のエアポンプ（不図示）に連結されている。エアポンプ（不図示）は、処理槽１８内を選択的に加圧または減圧する作用を有する。以上の構成によって、所望の薬液ボトル２４から供給口３０を介して処理槽１８までの流路を開通させると共に、処理槽１８内を減圧して当該薬液ボトル２４の薬液を処理槽１８内に供給することができる。また、処理槽１８から排出口３２を介して所望の薬液ボトル２４までの流路を開通させると共に、処理槽１８内を加圧して処理槽１８の薬液を当該薬液ボトル２４に戻すことができる。このようにして、処理槽１８内に所望の薬液を給排して浸漬処理を行うことが可能になっている。
【００２６】
また、処理槽１８の内部には、組織片を収容した収容容器２８を支持する揺動支持体３４が処理槽１８の側面に配設された駆動部に連結されている。当該揺動支持体３４は、駆動部の駆動に連動して処理槽１８の内部で揺動可能に構成されている。本実施形態においては、上記駆動部として、後述の撹拌子３６が設けられている。なお、揺動支持体３４についても後述する。
【００２７】
また、処理槽１８の外部側には、ヒータ（不図示）が配設されている。当該ヒータ（不図示）の位置および範囲は限定されず、側面および底面における一または複数の位置に任意の範囲で設けられる。これによって、処理槽１８の内部を一定温度に加温し、保持することができる。したがって、浸漬処理における薬液の作用を促進することができ、また、浸透処理（包埋処理）においてはパラフィンが固化してしまうことを防止することができる。さらに、図４に示すように、処理槽１８の内部の側面には撹拌子３６が配設されると共に、モータ４２が当該撹拌子３６に対応するように処理槽１８の外部の側面に配設されている。撹拌子３６は、モータ４２の駆動力を受けて処理槽１８の内部で回転可能に構成されている。撹拌子３６には、回転によって処理槽１８内の薬液を撹拌する作用を有する。これによって、ヒータ（不図示）により加温された処理槽１８内の液体の温度分布を均一にすることができる。本発明において撹拌子３６は任意の構成となっているが、前述の通り本実施形態では撹拌子３６は揺動支持体３４が連結される駆動部に該当するため、必須の構成となっている。
【００２８】
ここで、撹拌子３６の構成および当該撹拌子３６の回転機構について詳しく説明する。図５に示す撹拌子３６は、一例として十字形に構成され、処理槽１８の内部の側面から突出する支持軸３８に取付けられている。これによって、処理槽１８の内部で支持軸３８を中心に回転可能な構成となっている。撹拌子３６の形状は十字形に限定されず、例えば細長い繭、角棒、羽根等の形状も考えられる。また、撹拌子３６には、一例として複数の磁石４０が取付けられている。これによって、後述するように、マグネチックスターラーにおけるチップ（バーとも呼ばれる）としての作用を有する構成となっている。したがって、磁石４０は撹拌子３６に内蔵される構成も考えられ、また、素材、形状、大きさ、数、位置についても、マグネチックスターラーにおけるチップとして機能可能な範囲で適宜設定される。ただし、磁石４０が撹拌子３６の外部に取付けられる構成（処理槽１８内に露出する構成）においては、浸漬処理に用いられる薬液により腐食されにくい磁石が用いられることが好ましい。
【００２９】
なお、処理槽１８の側面は、外部側に隆起する収容部５０を備えると共に、当該収容部５０の概ね中央部から支持軸３８が突出して配設されていることによって、撹拌子３６が収容部５０に収容された構成となっている。この構成によれば、処理槽１８の内部において側面の外部側に撹拌子３６を配設することによって処理槽１８における空間を無駄なく使用することができる。また、側面の一部が隆起する収容部５０に撹拌子３６を配設することによって処理槽１８全体が大型化することを防止することができる。さらに、収容部５０によって、後述するモータ４２および回転体４６の位置決めを簡易に行うことが可能になっている。
【００３０】
次いで、図６に示すモータ４２は、一例として公知の電気モータであって、前述の通り、撹拌子３６に対応するように処理槽１８の外部の側面に配設されている。モータ４２の回転軸４４には、回転体４６が取付けられ、当該回転体４６がモータ４２の駆動に連動して回転軸４４を中心に回転可能な構成となっている。回転体４６は、一例として円盤形に構成されると共に、その盤面には前述の磁石４０と相互に吸引または反発する複数の磁石４８が取付けられている。これによって、前述の撹拌子３６をチップとするマグネチックスターラーの駆動部（チップを回転させる駆動機構）としての作用を有する構成となっている。したがって、磁石４８は撹拌子３６に内蔵される構成も考えられ、また、素材、形状、大きさ、数、位置についても、マグネチックスターラーにおける駆動部として機能可能な範囲で適宜設定される。
【００３１】
ここで、モータ４２は回転体４６を処理槽１８の側面に向けて配設され、さらに回転体４６は前述の収容部５０の外部側に配設されている（図４参照）。これによって、回転体４６を撹拌子３６に対応するように処理槽１８の外部の側面に配設することができる。この構成によれば、収容部５０の外部側に配設された回転体４６に取付けられた磁石４８の磁力と収容部５０の内部側に配設された撹拌子３６に取付けられた磁石４０の磁力とを相互に作用させることができる。したがって、前述の通り、回転体４６が駆動部として作用すると共に撹拌子３６がこれに対するチップとして作用するマグネチックスターラーとして構成することが可能となる。その結果、回転体４６および撹拌子３６を連動させることができる。このようにして、モータ４２の駆動に連動して回転体４６を駆動させ、さらに回転体４６の駆動に連動して撹拌子３６を駆動させることができる。
【００３２】
また、上記の構成によれば、処理槽１８の外部から処理槽１８の内部に作用させて撹拌子３６を回転させることができる。したがって、処理槽１８の壁面を貫通させることなく処理槽１８の内外を隔てることができ、処理槽１８内の薬液が漏れ出すことを防止することができる。
【００３３】
また、モータ４２の駆動は本体部１２の内部に設けられた制御部（不図示）によって制御可能に構成されている。制御部（不図示）は、モータ４２を連続して３６０［°］回転させる制御や連続して３６０［°］未満の所定角度まで正逆回転させる制御を行うことができる。これによって、モータ４２の駆動に連動して回転体４６を回転させることや所定角度まで揺動させることができ、さらにこのような回転体４６の駆動に連動して撹拌子３６を処理槽１８内で支持軸３８を中心に回転させることや所定角度まで揺動させることができる。
【００３４】
なお、本実施形態では、撹拌子３６を処理槽１８の対向する側面の内側に一対に配設すると共に、駆動手段としてのモータ４２を一対の撹拌子３６に対応するように処理槽の対向する側面の外部に一対に配設されている。これによって、処理槽１８の対向する側面の両側で処理槽１８内の薬液の撹拌を行うことが可能な構成となっている。ただし、後述するように、撹拌子３６が一対に配設されている構成であれば、揺動支持体３４を処理槽１８内で揺動させることが可能であるため、本実施形態では、撹拌子３６は一対に配設し、モータ４２は一の撹拌子３６側にだけ配設する構成とすることも考えられる。
【００３５】
続いて、処理槽１８の内部に配設される揺動支持体３４について説明する。揺動支持体３４は、図７（ａ）に示すように、両端部に位置する第１アーム３３と第２アーム３５とが連結部材３４ａによって連結された構成となっている。より詳細には、第１アーム３３および第２アーム３５は同一の構造からなり、処理槽１８の側方に伸長する翼状部３３ａ、３５ａ、および処理槽１８の上下方向に伸長する芯部３３ｂ、３５ｂを備えている。そして、当該芯部３３ｂ、３５ｂと処理槽１８の水平方向に伸長する連結部材３４ａとが処理槽１８の底部で直交して連結された構成となっている。これによって、翼状部３３ａ、３５ａにより収容容器２８の側部を支持し、連結部材３４ａにより収容容器２８の底部を支持することができる。したがって、一または複数（本実施形態では最大で四つ）収容容器２８を処理槽１８内で支持することができる（図２参照）。なお、第１アーム３３および第２アーム３５は、同一の構造を有しているため、図面に示す第１アーム３３と第２アーム３５との区別は便宜的なものである。
【００３６】
また、図７（ａ）および図７（ｂ）に示すように、揺動支持体３４の両端部に位置する第１アーム３３および第２アーム３５が、一対に配設される当該撹拌子３６にそれぞれ連結されている。これによって、揺動支持体３４を両端部で支持することによって処理槽１８の内部に固定することができる。また、図７（ｂ）および図７（ｃ）に示すように、撹拌子３６は処理槽１８の内部に面する側が隆起する取付部５２を備え、当該取付部５２は支持軸３８に直交するスリット部５２ａを備えている。一方、第１アーム３３および第２アーム３５の芯部３３ｂ、３５ｂの上下方向の概ね中央には、係止部３３ｃ、３５ｃが設けられている。この構成によれば、スリット部５２ａを処理槽１８の上下方向に合わせ、次いで処理槽１８の上方から第１アーム３３および第２アーム３５の芯部３３ｂ、３５ｂをスリット部５２ａの中に通していくと、係止部３３ｃ、３５ｃがスリット部５２ａに係止される。したがって、第１アーム３３および第２アーム３５を撹拌子３６に固定することができる。すなわち、揺動支持体３４は撹拌子３６に対して着脱可能に構成され、揺動支持体３４を処理槽１８の上方から下げることで簡易に撹拌子３６に取付けることができ、揺動支持体３４を処理槽１８の上方へ持ち上げることで簡易に撹拌子３６から取外すことができる。
【００３７】
以上の構成によれば、撹拌子３６に揺動支持体３４が連結された状態では、処理槽１８の外部に配設された駆動手段（モータ４２）の駆動力を受けた駆動部（撹拌子３６）の駆動に連動することにより処理槽１８の内部で揺動支持体３４を揺動させることができる。したがって、当該揺動支持体３４と共にこれに支持された収容容器２８を揺動させることができ、当該収容容器２８と共にこれに収容された全ての組織片を処理槽１８内で揺動させることができる。従来の構成では、処理槽１８内において収容容器２８が静置されたまま浸漬処理が行われていたため、薬液の作用により組織片から滲み出た水分や脂肪分によって組織片の周囲の薬液が希釈され、濃度の低い薬液によって浸漬処理が行われることになっていた。これに対して、本発明によれば、収容容器２８を揺動させることによって全ての組織片を処理槽１８内で揺動させることによって相対的に濃度の高い薬液に接触させることができ、従来と比較して薬液が作用しやすくすることが可能になる。一方、撹拌子３６に揺動支持体３４が取外された状態では、モータ４２の駆動力を受けて処理槽１８の内部で撹拌子３６を回転させることができる。したがって、ヒータ（不図示）によって加温された処理槽１８内の液体を撹拌して温度分布を均一にすることができる。本実施形態では、撹拌子３６に対して揺動支持体３４を付加的に取付ける構成によって処理槽１８内で収容容器２８を揺動させる機構と処理槽１８内の薬液を撹拌する機構とを備えた構成を簡易に実現することが可能になる。したがって、撹拌子３６に対して揺動支持体３４を着脱することよって、検体である組織片の性質、大きさ、数量等に応じて、処理槽１８内における組織片の揺動機構と薬液の撹拌機構とを選択的に使用することができる。
【００３８】
また、撹拌子３６を処理槽１８の対向する側面の内側に一対に配設する構成によって、揺動支持体３４を両端部で支持して処理槽１８の内部に固定することができ、揺動支持体３４を安定して揺動させることができる。また、モータ４２を一対の撹拌子３６に対応するように処理槽１８の対向する側面の外部に一対に配設する構成によって、複数のモータ４２により相対的に大きな駆動力を備えることができる。また、揺動支持体３４を揺動する際、各モータ４２の駆動力を相対的に小さくすることができるため、モータ４２の小型化を図ることができる。
【００３９】
続いて、本実施形態の変形例について説明する。本発明における揺動支持体３４は、処理槽１８の内部において側面に配設された駆動部に連結されており、処理槽１８の外部に配設された駆動手段の駆動力を受けた駆動部の駆動に連動することにより処理槽１８の内部で揺動可能に構成されていることを特徴とする。本実施形態では、上記駆動部を支持軸３８を中心に回転可能な撹拌子３６として構成し、揺動支持体３４を撹拌子３６に対して着脱可能に構成していた。しかしながら、本発明において、駆動部は撹拌子３６に限定されない。そこで、変形例として、以下の構成が考えられる。
【００４０】
すなわち、本例では、駆動部が所定角度まで揺動する揺動部材（不図示）として構成される。本例では、一例として、揺動支持体３４を、揺動部材に対して固定された構成（不図示）が考えられる。これによれば、駆動手段の駆動力を受けた揺動部材（不図示）の駆動に連動させて揺動支持体３４を揺動させることができる。また、他の例として、揺動支持体３４を、揺動部材を兼用する一体構造をする構成（不図示）も考えられる。これによれば、揺動支持体３４に磁石を取付けること等によって駆動手段の駆動に連動させて揺動支持体３４を揺動させることができる。本例では、処理槽１８内の液体を撹拌する撹拌子３６を処理槽１８の底面等に別途設けてもよい。本例の構成によれば、揺動支持体３４を着脱する手間が掛からないという効果を得ることができる。
【００４１】
以上、説明した通り、本発明に係る組織片処理装置によれば、駆動手段の駆動を受けた駆動部の駆動に連動させることによって、当該駆動部に連結された揺動支持体を処理槽内で揺動させることができる。したがって、揺動支持体に支持された収容容器を揺動させることができ、処理槽内に収容された全ての組織片を揺動させることができる。その結果、処理槽内の濃度分布の異なる薬液に対して、組織片を相対的に濃度の高い薬液に接触させることができ、従来と比較して薬液が作用しやすい組織片処理装置を提供することが可能になる。
【００４２】
なお、本発明は、以上説明した実施形態に限定されることなく、本発明を逸脱しない範囲において種々変更可能である。
【符号の説明】
【００４３】
１０  組織片処理装置
１２  本体部
１８  処理槽
２８  収容容器
３３  第１アーム
３４  揺動支持体
３５  第２アーム
３６  撹拌子
３８  支持軸
４０  磁石
４２  モータ
４４  回転軸
４６  回転体
４８  磁石
５０  収容部
５２  取付部
【図１】
2020112464.tif 000003
【図２】
2020112464.tif 000004
【図３】
2020112464.tif 000005
【図４】
2020112464.tif 000006
【図５】
2020112464.tif 000007
【図６】
2020112464.tif 000008
【図７】
2020112464.tif 000009